(57)【要約】  【課題】  複数の通信方式の何れかを選択してデータ通信を行うことができるデータ処理システム及びデータ処理装置を提供する。  【解決手段】  データを記憶する携帯端末（データ記憶装置）４０と、データを処理する複合機（データ処理装置）１とを備えるデータ処理システムにおいて、複合機１に、複数の通信方式でデータ通信を行うことが可能なＩ／Ｆ部１１を設け、前記複数の通信方式の何れかを制御部８で選択する。Ｉ／Ｆ部１１は制御部８が選択した通信方式でデータ通信を行い、Ｉ／Ｆ部１１が携帯端末４０から受信したデータを処理、又は、処理したデータをＩ／Ｆ部１１から携帯端末４０へ送信する。【選択図】      図１
2006072538.tif 000002
【特許請求の範囲】
【請求項１】
データを記憶するデータ記憶装置と、データを処理するデータ処理装置とを備えるデータ処理システムにおいて、
前記データ処理装置は、
複数の通信方式でデータ通信を行うことが可能な通信部と、
前記複数の通信方式の何れかを選択する選択手段と
を備え、
通信部は選択手段が選択した通信方式でデータ通信を行い、通信部がデータ記憶装置から受信したデータを処理、又は、処理したデータを通信部からデータ記憶装置へ送信するように構成してあることを特徴とするデータ処理システム。
【請求項２】
前記データ記憶装置がデータ通信を行うことが可能な通信方式を判別する判別手段を備え、
前記選択手段は、判別手段の判別結果に基づいて通信方式を選択するように構成してあることを特徴とする請求項１記載のデータ処理システム。
【請求項３】
前記データ記憶装置は、複数の通信方式でデータ通信を行うことが可能な通信部を備えることを特徴とする請求項２記載のデータ処理システム。
【請求項４】
前記選択手段は、データ処理装置の通信部及びデータ記憶装置の両方がデータ通信を行うことが可能な通信方式を選択するように構成してあることを特徴とする請求項３記載のデータ処理システム。
【請求項５】
前記データ記憶装置は電池を備え、
前記データ処理装置は、データ記憶装置の電池残量を取得する取得手段を備え、
前記選択手段は、さらに取得手段が取得した電池残量に基づいて通信方式を選択するように構成してあることを特徴とする請求項２乃至４の何れかひとつに記載のデータ処理システム。
【請求項６】
前記選択手段は、さらに前記データ記憶装置から受信すべきデータのサイズに基づいて、通信方式を選択するように構成してあることを特徴とする請求項２乃至４の何れかひとつに記載のデータ処理システム。
【請求項７】
前記選択手段は、さらに前記データ記憶装置から受信すべきデータの種類に基づいて、通信方式を選択するように構成してあることを特徴とする請求項２乃至４の何れかひとつに記載のデータ処理システム。
【請求項８】
前記データ記憶装置には、重要度が設定されたデータが記憶されており、
前記選択手段は、さらに前記データ記憶装置から受信すべきデータに設定されている重要度に基づいて、通信方式を選択するように構成してあることを特徴とする請求項２乃至４の何れかひとつに記載のデータ処理システム。
【請求項９】
前記データ記憶装置には画像データが記憶されており、
前記データ処理装置は、画像データに基づく画像をシートに形成する画像形成手段を備え、画像データの処理を行うように構成してあることを特徴とする請求項１乃至８の何れかひとつに記載のデータ処理システム。
【請求項１０】
複数の通信方式でデータ通信を行うことが可能な通信部と、
前記複数の通信方式の何れかを選択する選択手段と
を備え、
通信部は選択手段が選択した通信方式でデータ通信を行い、通信部が受信したデータを処理、又は、処理したデータを通信部から送信するように構成してあることを特徴とするデータ処理装置。
【発明の詳細な説明】
【技術分野】
【０００１】
本発明は、データを記憶するデータ記憶装置と、データを処理するデータ処理装置とを備えるデータ処理システム、及び、データを処理するデータ処理装置に関する。
【背景技術】
【０００２】
データの処理を行うデータ処理装置として、画像データの処理を行う画像処理装置がある。例えば複写機、プリンタ、ファクシミリ、複合機などの画像処理装置がある。また、外部に設けられた外部装置との間でデータ通信を行うことによって外部装置から送信されたプリントデータのプリント処理を行う画像処理装置もある（例えば、特許文献１参照）。
【特許文献１】特開平９−１９３５０９号公報
【発明の開示】
【発明が解決しようとする課題】
【０００３】
しかし、外部装置と画像処理装置との間でデータ通信を行う通信方式には、複数の種類があり、外部装置がデータ通信を行う通信方式と画像処理装置がデータ通信を行う通信方式とが異なる場合は、外部装置と画像処理装置との間でデータ通信が行えないという問題がある。この問題を解決する方法として、画像処理装置及び／又は外部装置に、複数の通信方式でデータ通信を行うことが可能な通信部を設けることが考えられる。しかし、複数の通信方式でデータ通信を行うことが可能な場合は、使用する通信方式を選択する必要が生じるという問題がある。また、使用する通信方式を適切に選択する必要が生じるという問題がある。
【０００４】
本発明は斯かる事情に鑑みてなされたものであり、複数の通信方式でデータ通信を行うことが可能な通信部と、前記複数の通信方式の何れかを選択する選択手段とをデータ処理装置が備えることにより、複数の通信方式の何れかを選択してデータ通信を行うことができるデータ処理システム及びデータ処理装置を提供することを目的とする。
【０００５】
また、本発明は、データ記憶装置がデータ通信を行うことが可能な通信方式を判別する判別手段を備え、判別手段の判別結果に基づいて通信方式を選択する構成にしたことにより、データ処理装置が種々のデータ記憶装置とデータ通信を行うことができるデータ処理システムを提供することを他の目的とする。
【０００６】
また、本発明は、データ記憶装置が複数の通信方式でデータ通信を行うことが可能な通信部を備えることにより、より適切な通信方式を選択することが可能なデータ処理システムを提供することを他の目的とする。
【０００７】
また、本発明は、データ処理装置の通信部及びデータ記憶装置の両方がデータ通信を行うことが可能な通信方式を選択する構成にしたことにより、データ処理装置とデータ記憶装置とのデータ通信を確実に行うことができるデータ処理システムを提供することを他の目的とする。
【０００８】
また、本発明は、データ記憶装置の電池残量を取得する取得手段をデータ処理装置に備え、取得手段が取得した電池残量に基づいて通信方式を選択する構成にしたことにより、データ記憶装置の電池の寿命を延ばすことができるデータ処理システムを提供することを他の目的とする。
【０００９】
また、本発明は、データ記憶装置から受信すべきデータのサイズに基づいて、通信方式を選択する構成にしたことにより、サイズの大きいデータを短時間で送受信することができるデータ処理システムを提供することを他の目的とする。
【００１０】
また、本発明は、データ記憶装置から受信すべきデータの種類に基づいて、通信方式を選択する構成にしたことにより、画像データなどのサイズの大きいデータを短時間で送受信することができるデータ処理システムを提供することを他の目的とする。
【００１１】
また、本発明は、データ記憶装置から受信すべきデータに設定されている重要度に基づいて、通信方式を選択する構成にしたことにより、重要なデータを送受信する場合のセキュリティを向上させることができるデータ処理システムを提供することを他の目的とする。
【００１２】
また、本発明は、画像データに基づく画像をシートに形成する画像形成手段をデータ処理装置に備えることにより、データ処理装置が、原稿を読取った画像をシートに形成する複写機、受信した画像をシートに形成するファクシミリ機又はプリンタなどの画像処理装置として動作することができるデータ処理システムを提供することを他の目的とする。
【課題を解決するための手段】
【００１３】
本発明に係るデータ処理システムは、データを記憶するデータ記憶装置と、データを処理するデータ処理装置とを備えるデータ処理システムにおいて、前記データ処理装置は、複数の通信方式でデータ通信を行うことが可能な通信部と、前記複数の通信方式の何れかを選択する選択手段とを備え、通信部は選択手段が選択した通信方式でデータ通信を行い、通信部がデータ記憶装置から受信したデータを処理、又は、処理したデータを通信部からデータ記憶装置へ送信するように構成してあることを特徴とする。
【００１４】
本発明に係るデータ処理システムは、前記データ記憶装置がデータ通信を行うことが可能な通信方式を判別する判別手段を備え、前記選択手段は、判別手段の判別結果に基づいて通信方式を選択するように構成してあることを特徴とする。
【００１５】
本発明に係るデータ処理システムは、前記データ記憶装置は、複数の通信方式でデータ通信を行うことが可能な通信部を備えることを特徴とする。
【００１６】
本発明に係るデータ処理システムは、前記選択手段は、データ処理装置の通信部及びデータ記憶装置の両方がデータ通信を行うことが可能な通信方式を選択するように構成してあることを特徴とする。
【００１７】
本発明に係るデータ処理システムは、前記データ記憶装置は電池を備え、前記データ処理装置は、データ記憶装置の電池残量を取得する取得手段を備え、前記選択手段は、さらに取得手段が取得した電池残量に基づいて通信方式を選択するように構成してあることを特徴とする。
【００１８】
本発明に係るデータ処理システムは、前記選択手段は、さらに前記データ記憶装置から受信すべきデータのサイズに基づいて、通信方式を選択するように構成してあることを特徴とする。
【００１９】
本発明に係るデータ処理システムは、前記選択手段は、さらに前記データ記憶装置から受信すべきデータの種類に基づいて、通信方式を選択するように構成してあることを特徴とする。
【００２０】
本発明に係るデータ処理システムは、前記データ記憶装置には、重要度が設定されたデータが記憶されており、前記選択手段は、さらに前記データ記憶装置から受信すべきデータに設定されている重要度に基づいて、通信方式を選択するように構成してあることを特徴とする。
【００２１】
本発明に係るデータ処理システムは、前記データ記憶装置には画像データが記憶されており、前記データ処理装置は、画像データに基づく画像をシートに形成する画像形成手段を備え、画像データの処理を行うように構成してあることを特徴とする。
【００２２】
本発明に係るデータ処理装置は、複数の通信方式でデータ通信を行うことが可能な通信部と、前記複数の通信方式の何れかを選択する選択手段とを備え、通信部は選択手段が選択した通信方式でデータ通信を行い、通信部が受信したデータを処理、又は、処理したデータを通信部から送信するように構成してあることを特徴とする。
【００２３】
本発明においては、データ処理システム及びデータ処理装置は、複数の通信方式でデータ通信を行うことが可能な通信部を備え、前記複数の通信方式の何れかを選択手段で選択する。通信部は、例えば通信方式が異なる複数の通信手段を備える。また、通信部は選択手段が選択した通信方式でデータ通信を行い、通信部がデータ記憶装置から受信したデータを処理、又は、処理したデータを通信部からデータ記憶装置へ送信する。データ処理装置は、複数の通信方式の何れかを選択してデータ通信を行うことができる。
【００２４】
本発明においては、データ記憶装置がデータ通信を行うことが可能な通信方式を判別手段で判別し、判別結果に基づいて選択手段で通信方式を選択する。例えば、選択手段は、データ処理装置がデータ通信を行うことが可能な複数の通信方式の中から、データ記憶装置がデータ通信を行うことが可能な通信方式を選択する。これにより、データ処理装置は、種々のデータ記憶装置とデータ通信を行うことができる。
【００２５】
本発明においては、データ記憶装置は、複数の通信方式でデータ通信を行うことが可能な通信部を備える。そのため、データ記憶装置は、種々のデータ処理装置とデータ通信を行うことが可能である。また、データ記憶装置がデータ通信を行うことが可能な複数の通信方式の夫々が、データ処理装置がデータ通信を行うことが可能な複数の通信方式に含まれている場合、使用可能な複数の通信方式の中から通信方式を選択することが可能となり、より適切な通信方式を選択することが可能になる。
【００２６】
本発明においては、データ処理装置の通信部及びデータ記憶装置の両方がデータ通信を行うことが可能な通信方式を選択手段で選択する。例えば、データ処理装置の通信部がデータ通信を行うことが可能な複数の通信方式、及び、データ記憶装置の通信部がデータ通信を行うことが可能な複数の通信方式の両方に含まれている通信方式を選択することが可能である。これにより、データ処理装置とデータ記憶装置とのデータ通信を確実に行うことができる。
【００２７】
本発明においては、データ記憶装置は電池を備え、電池により給電が行われている。データ処理装置は、データ記憶装置の電池残量を取得手段で取得し、選択手段は、さらに取得した電池残量に基づいて通信方式を選択する。通信方式の中には、消費電力が高い通信方式もあれば、消費電力が低い通信方式もある。選択手段は、データ記憶装置の電池の残量が少ない場合、選択可能な通信方式の中から消費電力が低い通信方式を選択する。これにより、データ記憶装置の電池の寿命を延ばすことができる。
【００２８】
本発明においては、選択手段は、さらにデータ記憶装置から受信すべきデータのサイズに基づいて、通信方式を選択する。通信方式の中には、データ転送速度が高い通信方式もあれば、データ転送速度が低い通信方式もある。選択手段は、受信すべきデータのサイズが大きい場合、選択可能な通信方式の中からデータ転送速度が高い通信方式を選択する。これにより、サイズの大きいデータを短時間で送受信することができる。
【００２９】
本発明においては、選択手段は、さらにデータ記憶装置から受信すべきデータの種類に基づいて、通信方式を選択する。データの種類には、テキストデータなどのサイズの小さいデータもあれば、画像データなどのサイズの大きいデータもある。選択手段は、受信すべきデータが画像データの場合、選択可能な通信方式の中からデータ転送速度が高い通信方式を選択する。これにより、画像データなどのサイズの大きいデータを短時間で送受信することができる。
【００３０】
本発明においては、データ記憶装置には、重要度が設定されたデータが記憶されている。選択手段は、さらにデータ記憶装置から受信すべきデータに設定されている重要度に基づいて、通信方式を選択する。通信方式の中には、セキュリティの高い通信方式もあれば、セキュリティの低い通信方式もある。選択手段は、受信すべきデータに設定されている重要度が高い場合、選択可能な通信方式の中からセキュリティの高い通信方式を選択する。これにより、機密性の高い重要なデータを送受信する場合のセキュリティを向上させることができる。
【００３１】
本発明においては、データ記憶装置には画像データが記憶されており、データ処理装置は、画像データに基づく画像をシートに形成する画像形成手段を備え、画像データの処理を行う。そのため、データ処理装置は、原稿を読取った画像をシートに形成する複写機、受信した画像をシートに形成するファクシミリ機又はプリンタなどの画像処理装置として動作できる。画像データは、原稿の画像を読取るイメージスキャナなどの画像読取装置から受付けたり、ＬＡＮ（Local Area Network）などを介して接続されたコンピュータから受付けることが可能である。
【発明の効果】
【００３２】
本発明によれば、複数の通信方式の何れかを選択してデータ通信を行うことができる。
【００３３】
本発明によれば、データ処理装置が種々のデータ記憶装置とデータ通信を行うことができる。
【００３４】
本発明によれば、より適切な通信方式を選択することが可能になる。
【００３５】
本発明によれば、データ処理装置とデータ記憶装置とのデータ通信を確実に行うことができる。
【００３６】
本発明によれば、データ記憶装置の電池の寿命を延ばすことができる。
【００３７】
本発明によれば、サイズの大きいデータを短時間で送受信することができる。
【００３８】
本発明によれば、画像データなどのサイズの大きいデータを短時間で送受信することができる。
【００３９】
本発明によれば、機密性の高い重要なデータを送受信する場合のセキュリティを向上させることができる。
【００４０】
本発明によれば、データ処理装置は、原稿を読取った画像をシートに形成する複写機、受信した画像をシートに形成するファクシミリ機又はプリンタなどの画像処理装置として動作することができる。
【発明を実施するための最良の形態】
【００４１】
以下、本発明をその実施の形態を示す図面に基づいて具体的に説明する。図１は、本発明に係る複合機（データ処理装置）を含む通信ネットワーク（データ処理システム）の構成例を示すブロック図である。通信ネットワークは、例えば社内ＬＡＮ（Local Area Network）などの内部ネットワークＮ１と、例えばインターネットなどの外部ネットワークＮ２とを含む。内部ネットワークＮ１には、複合機１及びパーソナルコンピュータ（以下、パソコンという）３２が接続されている。外部ネットワークＮ２には、インターネットファックス機（以下、ｉＦＡＸ機）３４及びパソコン３２が接続されている。
【００４２】
複合機１は、原稿の画像を読取ってシート（記録紙）にプリント（画像形成）するコピー機能、外部から受信した画像データをシートにプリントするプリンタ機能、外部へ画像データを送信するネットワークスキャナ機能、及び、外部のファクシミリ装置との間でファクシミリデータを送受信するファクシミリ機能などを有する。また、複合機１は、読取った画像データ又は受信した画像データをハードディスクドライブ（以下、ハードディスクという）などの記録媒体に記憶する機能を有し、記憶した画像データをシートにプリントしたり、外部へ送信することが可能である。
【００４３】
複合機１は、原稿の画像を読み取る画像読み取り部２と、入力部４ａ及び表示部４ｂを有する操作部４と、ハードディスク１２と、シートに画像を形成する画像形成部６と、ハードディスク１２に記憶されているデータを無効化する消去部１６と、内部ネットワークＮ１及び外部ネットワークＮ２との通信制御を行う通信部１０と、携帯端末４０との通信制御を行うＩ／Ｆ（インタフェイス）部１１と、制御プログラム及び設定情報などを記憶する管理部１４と、制御プログラム及び設定情報に従って前記各構成部２，４，６，１０，１１，１２，１４，１６を制御する制御部８とを備える。
【００４４】
管理部１４は、制御部８に接続されており、制御部８が実行する制御プログラムを格納したＲＯＭ（Read Only Memory）、及び、装置１の各構成部の動作に関する設定情報等を記憶するためのＲＡＭ等からなる。ただし、前記ＲＡＭは、フラッシュメモリ，ＥＥＰＲＯＭ（Electrically Erasable Programmable ROM）等の書換え可能な不揮発性の記憶媒体であってもよい。
【００４５】
制御部８は、例えばＣＰＵ（Central Processing Unit)を有し、管理部１４に格納されている制御プログラム及び設定情報に従って、画像読み取り部２、操作部４、画像形成部６、通信部１０、Ｉ／Ｆ部１１、ハードディスク１２、及び消去部１６などの複合機１の各構成部の動作を制御する。
【００４６】
操作部４の入力部４ａは、表示部４ｂに隣接して配置されたキー群を有する。例えば、コピーのスタートなどを指示するためのスタートキー、実行中の処理の中止を指示するためのキャンセルキー、コピー枚数などを指示するためのテンキー、装置の動作モードを切換えるモード切換キー（コピーモードキー、プリンタモードキー、スキャンモードキー、ファックスモードキー）などを備える。入力部４ａは制御部８と接続されており、各キーに対する操作信号などを制御部８に与える。
【００４７】
操作部４の表示部４ｂは、ドットマトリックスタイプの液晶パネルを有し、利用者に対して必要な情報の表示を行う。液晶パネルの画面上には、透明なタッチパネルが設けられており、液晶パネル上に表示される情報に従ってタッチパネルを操作することにより、各種指示を入力することが可能であり、液晶パネルは入力部４ａの一部として機能する。表示部４ｂは制御部８に接続されており、制御部８から表示制御信号を受取ったり、タッチパネルに対する操作信号を制御部８に与える。
【００４８】
画像形成部６は、画像読み取り部２及びハードディスク１２と接続され、また、制御部８を介して通信部１０及びＩ／Ｆ部１１と接続されている。画像形成部６は、画像データを記憶するＤＲＡＭ（Dynamic Random Access Memory）等のメモリ６ａと、メモリ６ａから受取った画像データに基づく画像をシートに形成する印字部（LSU:Laser Scanning Unit、画像形成手段)６ｂと、メモリ６ａからハードディスク１２に転送する画像データを暗号化する暗号化部６ｃと、ハードディスク１２からメモリ６ａに転送する暗号化された画像データを復号化する復号化部６ｄとを有する。メモリ６ａには、制御部８の制御により、画像読み取り部２から受取った画像データと、ハードディスク１２、通信部１０、及びＩ／Ｆ部１１から夫々受取った画像データが記憶される。また、メモリ６ａに記憶されている画像データを、制御部８の制御により、ハードディスク１２、通信部１０、及びＩ／Ｆ部１１に送ることも可能である。なお、本実施の形態では印字部６ｂはＬＳＵ（レーザ走査ユニット）で構成してあるが、インクジェット方式などのプリンタ装置であってもよい。
【００４９】
画像読み取り部２は、画像形成部６に接続されており、たとえばＣＣＤ（Charge Coupled Device)２ａなどの光学的な画像読み取り手段によって原稿の画像を読み取る。制御部８の制御によって、画像読み取り部２が読み取った原稿の画像データはメモリ６ａにページ単位（原稿１枚単位）で記憶されると共に、読み取った原稿の枚数（ページ数）は管理部１４に記憶される。また、画像読み取り部２は、読取原稿の検出信号を制御部８へ送る原稿センサ２ｂを備える。
【００５０】
通信部１０は、制御部８に接続されると共に、内部ネットワークＮ１及び外部ネットワークＮ２のパソコン３２などと例えばＬＡＮケーブルなどで接続されており、前記外部装置との間でデータ通信を行い、例えば画像データを送受信する。
【００５１】
Ｉ／Ｆ部（通信部）１１は、制御部８に接続されており、携帯電話などの携帯端末４０と例えば赤外線通信などの光通信などを行う。赤外線通信を行う場合、複合機１のＩ／Ｆ部１１と携帯端末４０が備える後述するＩ／Ｆ部とは、対向させる必要がある。なお、複合機１の通信部１０と内部ネットワークＮ１のパソコン３２とは有線接続で通信を行うため、対向させる必要は特にない。また、Ｉ／Ｆ部１１が電波を用いた無線通信を行う場合、複合機１のＩ／Ｆ部１１と携帯端末４０が備える後述するＩ／Ｆ部とは、特に対向させる必要はない。
【００５２】
ハードディスク１２は、画像形成部６及び制御部８に接続され、画像読み取り部２、通信部１０又はＩ／Ｆ部１１から入力されて画像形成部６でプリント（画像形成）される画像データ、及び、通信部１０又はＩ／Ｆ部１１から外部へ送信される画像データが記憶される。
【００５３】
消去部１６は、ハードディスク１２及び制御部８に接続され、ハードディスク１２に記憶した画像データのプリント又は送信が完了して消去可能になった場合、制御部８の制御により、消去可能になった画像データをランダムデータなどで上書して無効化する。従って、本発明の複合機１においては、画像データのセキュリティが確保される。なお、メモリ６ａ及びハードディスク１２には、画像データ以外の各種データも記憶することが可能である。
【００５４】
制御部８は、操作部４の入力部４ａ又は表示部４ｂへの操作に従って、前記各構成部を制御して画像処理などのデータ処理を実行すると共に、表示部４ｂに複合機１の状態に関する情報及びユーザに通知すべき情報等を出力する。また、制御部８は、画像読み取り部２からの画像データの入力制御、及び、通信部１０又はＩ／Ｆ部１１を介しての外部からの画像データの入力制御、入力された画像データのメモリ６ａ及びハードディスク１２への入出力制御、画像形成部６、通信部１０又はＩ／Ｆ部１１からの画像データの出力制御等を行う。
【００５５】
操作部４でコピーモードの選択を受付けるなどして、複合機１を複写機として動作させる場合、制御部８の制御によって、画像読み取り部２にセットされた原稿を電子的に読み取り、読み取った画像データをメモリ６ａに記憶した後、ハードディスク１２に記憶する。原稿が複数ある場合は、同様の処理を繰り返す。その後、制御部８の制御によって、ハードディスク１２に記憶した画像データが適切なタイミングで順次メモリ６ａに送られ、印字部６ｂの印字タイミングに合わせて画像データがメモリ６ａから印字部６ｂへと送られ、プリントが行われる。画像データを複数部印字する場合は、出力部数の分だけ画像データが繰り返し印字部６ｂへ送られる。
【００５６】
通信部１０又はＩ／Ｆ部１１でプリント対象のデータを受付けるなどして、複合機１をプリンタとして動作させる場合、例えば内部ネットワークＮ１に接続されたパソコン３２から送信された画像データは通信部１０で受信され、制御部８の制御によって、メモリ６ａに送られてページ単位で記憶された後、ハードディスク１２に記憶される。その後、制御部８の制御によって、ハードディスク１２に記憶された画像データはメモリ６ａに送られ、上述した複写機として使用する場合と同様にして、印字部６ｂに送られ、プリントが行われる。
【００５７】
操作部４でスキャンモードの選択を受付けるなどして、複合機１をネットワークスキャナとして動作させる場合、制御部８の制御によって、画像読み取り部２にセットされた原稿を電子的に読み取り、読み取った原稿の画像データをメモリ６ａに記憶した後、ハードディスク１２に記憶する。その後、制御部８の制御によって、ハードディスク１２に記憶した画像データはメモリ６ａに送られ、操作部４で受付けた送信先へ通信部１０又はＩ／Ｆ部１１から送信される。画像データの送信先としては、内部ネットワークＮ１内のパソコン３２、外部ネットワークＮ２のパソコン３２、又は携帯端末４０を指定することが可能である。また、ファックスモードの場合は、スキャンモードとほぼ同様の処理が行われるが、画像データの送信先としてｉＦＡＸ機３４を指定することが可能である。
【００５８】
図２は携帯端末（データ記憶装置）４０の構成例を示すブロック図である。携帯端末４０は、例えば携帯電話であり、液晶表示パネルなどを有する表示部４３と、数字キー及び通話キーなどを有する操作部４４と、電波を用いた通話などの通信を行う通信部４５と、例えば赤外線を用いたデータ通信などを行うＩ／Ｆ部（通信部）４６と、データを記憶する記憶部４２と、ＣＣＤなどを有する撮像部４７と、前記各部４２〜４７の制御を行う制御部４１とを備える。
【００５９】
図３は携帯端末４０の記億部４２に記憶されているデータの例を示す概念図である。記憶部４２には、端末情報、所有者情報、認証情報、文書情報、電話情報、メール情報などが記憶されている。前記端末情報は、複合機１のメンテナンスを行うサービス員、複合機１が設置されている店の店員、又は、複合機１を利用する一般ユーザなどを表す情報である。前記所有者情報は名前又は会社名などの情報である。前記認証情報はＩＤ（identification）などのコード情報である。前記文書情報は、記憶部４２に記憶されている文書データに関するデータ名、重要度（一般又は重要など）、所属（社内、社外、又は個人など）、色（カラー又は白黒など）などの情報である。前記電話情報は名前及び電話番号を含み、前記メール情報は名前及びメールアドレスを含む。また、記憶部４２には、撮像部４７で撮像した画像データ、通信部４５又はＩ／Ｆ部４６で受信した画像データ又は文書データ、操作部４４から入力した文書データなどのデータも記憶されている。
【００６０】
携帯端末４０は、データを記憶するデータ記憶装置として動作し、複合機１は、データを処理するデータ処理装置として動作する。複合機１のＩ／Ｆ部１１は、複数の通信方式でデータ通信を行うことが可能な通信部として動作し、制御部８は、前記複数の通信方式の何れかを選択する選択手段として動作する。本説明では、Ｉ／Ｆ部１１は、図２に示すように、夫々通信方式が異なるＩ／Ｆ・Ａ、Ｉ／Ｆ・Ｂ、及びＩ／Ｆ・Ｃを有し、Ｉ／Ｆ・Ａ、Ｉ／Ｆ・Ｂ、又はＩ／Ｆ・Ｃを選択することで通信方式を選択する。Ｉ／Ｆ部１１は、制御部８が選択した通信方式でデータ通信を行い、複合機１は、Ｉ／Ｆ部１１が携帯端末４０から受信したデータを処理し、また、処理したデータをＩ／Ｆ部１１から携帯端末４０へ送信する。
【００６１】
携帯端末４０のＩ／Ｆ部４６は、複数の通信方式でデータ通信を行うことが可能な通信部として動作する。本説明では、携帯端末４０のＩ／Ｆ部４６は、夫々通信方式が異なるＩ／Ｆ・Ａ及びＩ／Ｆ・Ｂを有する。複合機１の制御部８は、携帯端末４０がデータ通信を行うことが可能な通信方式を判別する判別手段として動作し、判別結果に基づいて通信方式（Ｉ／Ｆ・Ａ、Ｉ／Ｆ・Ｂ、又はＩ／Ｆ・Ｃ）を選択する。例えば携帯端末４０が１種類の通信方式（例えばＩ／Ｆ・Ａ）でデータ通信を行う場合、制御部８は前記通信方式（例えばＩ／Ｆ・Ａ）を選択する。また、複合機１の制御部８は、複合機１のＩ／Ｆ部１１及び携帯端末４０のＩ／Ｆ部４６の両方がデータ通信を行うことが可能な通信方式を選択する。本説明では、Ｉ／Ｆ・Ａ又はＩ／Ｆ・Ｂの何れかが選択される。
【００６２】
また、携帯端末４０は、装置内の各構成部に給電を行う二次電池などの電池４９を備え、複合機１の制御部８は、携帯端末４０の制御部４１が管理する電池残量を取得する取得手段として動作し、取得した電池残量に基づいて通信方式（Ｉ／Ｆ・Ａ、Ｉ／Ｆ・Ｂ、又はＩ／Ｆ・Ｃ）を選択する。例えば、電池残量が所定値以下の場合、複合機１の制御部８は、両装置がデータ通信可能なＩ／Ｆ・Ａ又はＩ／Ｆ・Ｂのうち、消費電力が低いものを選択する。
【００６３】
また、制御部８は、携帯端末４０から受信すべきデータのサイズに基づいて、通信方式（Ｉ／Ｆ・Ａ、Ｉ／Ｆ・Ｂ、又はＩ／Ｆ・Ｃ）を選択する。例えば、データのサイズが所定値以上の場合、複合機１の制御部８は、両装置がデータ通信可能なＩ／Ｆ・Ａ又はＩ／Ｆ・Ｂのうち、データ転送が高速のものを選択する。また、制御部８は、携帯端末４０から受信すべきデータの種類に基づいて、通信方式（Ｉ／Ｆ・Ａ、Ｉ／Ｆ・Ｂ、又はＩ／Ｆ・Ｃ）を選択する。例えば、画像データを受信する場合、複合機１の制御部８は、両装置がデータ通信可能なＩ／Ｆ・Ａ又はＩ／Ｆ・Ｂのうち、データ転送が高速のものを選択する。
【００６４】
また、携帯端末４０の記憶部４２には、例えば図３に示した文書情報の重要度が設定されたデータが記憶されており、複合機１の制御部８は、携帯端末４０から受信すべきデータに設定されている重要度に基づいて、通信方式（Ｉ／Ｆ・Ａ、Ｉ／Ｆ・Ｂ、又はＩ／Ｆ・Ｃ）を選択する。例えば、文書情報の重要度が“重要”のデータＡ１，Ａ２などの重要データを送受信する場合、複合機１の制御部８は、両装置がデータ通信可能なＩ／Ｆ・Ａ又はＩ／Ｆ・Ｂのうち、セキュリティが高いものを選択する。
【００６５】
ここで、Ｉ／Ｆ・Ａは、赤外線通信などの光通信を行い、Ｉ／Ｆ・Ｂは、ＩＥＥＥ８０２．１１ａなどの無線通信を行うものとする。この場合、一般的に、消費電力はＩ／Ｆ・Ａの方が低く、データ転送速度はＩ／Ｆ・Ｂの方が高速である。また、無線通信は広範囲に通信データが伝搬するが、赤外線は周囲に通信データが伝搬し難いため、Ｉ／Ｆ・Ａの方がセキュリティは高い。
【００６６】
図４は、Ｉ／Ｆの選択手順の例を示すフローチャートである。複合機１の制御部８は、Ｉ／Ｆ部１１から携帯端末４０にアクセスして、携帯端末４０が備えるＩ／Ｆを判別する（Ｓ１０）。携帯端末４０が備えるＩ／Ｆの判別は、例えば携帯端末４０の制御部４１が管理するＩ／Ｆ情報を取得して判別することが可能である。本説明では、携帯端末４０がＩ／Ｆ・Ａ及びＩ／Ｆ・Ｂを備えていることが判別される。次に、複合機１の制御部８は、Ｉ／Ｆ部１１と通信可能な携帯端末４０のＩ／Ｆを判別する（Ｓ１２）。通信可能なＩ／Ｆの判別は、例えば管理部１４が管理する複合機１のＩ／Ｆ情報に基づいて判別することが可能である。本説明では、複合機１のＩ／Ｆ部１１は、携帯端末４０が備えるＩ／Ｆ・Ａ及びＩ／Ｆ・Ｂの両方とも通信可能である。
【００６７】
次に、複合機１の制御部８は、使用するＩ／Ｆを選択する（Ｓ１４）。例えば、制御部８は、まず、複合機１と携帯端末４０との間でデータ通信が行えるＩ／Ｆ・Ａ及びＩ／Ｆ・Ｂを選択する。次に、重要度の高いデータＡ１、Ａ２などを受信する場合は、セキュリティの高いＩ／Ｆ・Ａを選択する。また、画像データを受信するなどデータサイズの大きいデータを受信する場合は、データ転送が高速なＩ／Ｆ・Ｂを選択する。
【００６８】
制御部８は、表示部４ｂに、選択したＩ／Ｆを使用するかユーザに確認する画面を表示し、操作部４で確認を受付ける（例えば“１”：使用する、“０”：使用しない）。または、Ｉ／Ｆ部１１から携帯端末４０へ確認画面を送信し、携帯端末４０の表示部４３に表示し、操作部４４で確認を受付ける。選択したＩ／Ｆを使用しない場合（Ｓ１６：ＮＯ）、制御部８は、他のＩ／Ｆを選択し（Ｓ２２）、再度確認を受付ける。選択したＩ／Ｆを使用する場合（Ｓ１６：ＹＥＳ）、制御部８は、選択したＩ／Ｆを表示部４ｂに表示し（Ｓ１８）、選択したＩ／Ｆでデータ通信を行う（Ｓ２０）。例えばＩ／Ｆ・Ａが選択された場合、複合機１のＩ／Ｆ部１１のＩ／Ｆ・Ａと携帯端末４０のＩ／Ｆ部４６のＩ／Ｆ・Ａとの間でデータ通信が行われる。
【００６９】
上述した実施の形態においては複合機１のＩ／Ｆ部１１は３種類の通信方式でデータ通信を行うことが可能であるが、３種類に限定はされず、１又は複数の任意種類の通信方式でデータ通信を行う構成にすることが可能である。また、上述した実施の形態において、携帯端末４０のＩ／Ｆ部４６は、２種類の通信方式でデータ通信を行うことが可能であるが、２種類に限定はされず、１又は複数の任意種類の通信方式でデータ通信を行う構成にすることが可能である。また、携帯端末４０は、携帯電話に限定はされず、ＰＤＡ（Personal Digital Assistant）又はノート型コンピュータなど任意の携帯端末装置を用いることが可能である。また、Ｉ／Ｆ部１１，４６は、赤外線通信又はＩＥＥＥ８０２．１１ｂに限定はされず、Ｂｌｕｅｔｏｏｔｈ又はＩＥＥＥ８０２．１１ａなどの任意の通信方式を用いることが可能である。また、２種類の通信方式として、データ転送速度が異なる２種類の赤外線通信Ｉ／Ｆを用いることも可能である。
【図面の簡単な説明】
【００７０】
【図１】本発明に係る複合機を含む通信ネットワークの構成例を示すブロック図である。
【図２】携帯端末の構成例を示すブロック図である。
【図３】携帯端末の記億部に記憶されているデータの例を示す概念図である。
【図４】Ｉ／Ｆの選択手順の例を示すフローチャートである。
【符号の説明】
【００７１】
１  複合機
２  画像読み取り部
４  操作部
６  画像形成部
８  制御部
１０  通信部
１１  Ｉ／Ｆ部
１２  ハードディスク
１４  管理部
１６  消去部
３２  パソコン
３４  ｉＦＡＸ機
４０  携帯端末
４１  制御部
４２  記憶部
４３  表示部
４４  操作部
４５  通信部
４６  Ｉ／Ｆ部
４７  撮像部
Ｎ１  内部ネットワーク
Ｎ２  外部ネットワーク
【図１】
2006072538.tif 000003
【図２】
2006072538.tif 000004
【図３】
2006072538.tif 000005
【図４】
2006072538.tif 000006